(57)【要約】【課題】不正行為を容易かつ的確に検知して、遊技者に適切な遊技の提供を図ること。【解決手段】基板ケース３１０における側面５１１に形成された受信アンテナ収容部６０１は、受信アンテナ３３１を収容する所定深さの凹部であり、縦横の長さ（開口径）は受信アンテナ３３１の外径形状とほぼ同じである。また、非接触ＩＣタグ収容部６０２は、非接触ＩＣタグ３３２ａを収容する所定深さおよび縦横長さを有する空洞部である。また、制御基板５５０には、非接触ＩＣタグ３３２ｂが設置されている。非接触ＩＣタグ３３２ａ，３３２ｂは、受信アンテナ３３１から所定範囲内に設置され、それぞれ識別情報を受信アンテナ３３１に対して発信し、受信された各識別情報を用いて不正行為を検知する。【選択図】図６
2008289779.tif 000002
【特許請求の範囲】
【請求項１】
遊技機を制御する制御基板に対して側面および上面を覆う基板ケースと、
前記遊技機を識別するための非接触ＩＣタグと、
前記非接触ＩＣタグからの電波を受信する受信アンテナと、を備え、
前記非接触ＩＣタグは、当該制御基板と、当該基板ケースとにそれぞれ１つ以上設置され、
前記受信アンテナによって受信された電波に基づいて、前記遊技機に対する不正行為を検知する不正検知手段を備えることを特徴とする遊技機。
【請求項２】
前記基板ケースに前記非接触ＩＣタグを収容する非接触ＩＣタグ収容部を備え、
前記非接触ＩＣタグ収容部に前記非接触ＩＣタグを収容することを特徴とする請求項１に記載の遊技機。
【請求項３】
前記基板ケースは、前記受信アンテナを収容する受信アンテナ収容部を備え、
前記受信アンテナ収容部は、前記非接触ＩＣタグと、前記受信アンテナとが通信可能な所定範囲内に設けられたことを特徴とする請求項１または２に記載の遊技機。
【請求項４】
前記非接触ＩＣタグは、前記制御基板上に配設された監視対象となる監視対象電子部品に応じて、当該制御基板上に設置されることを特徴とする請求項１〜３のいずれか一つに記載の遊技機。
【請求項５】
前記非接触ＩＣタグ収容部は、前記基板ケースの側面に設けられることを特徴とする請求項２〜４のいずれか一つに記載の遊技機。
【請求項６】
前記受信アンテナ収容部は、前記基板ケースの側面に設けられることを特徴とする請求項３〜５のいずれか一つに記載の遊技機。
【請求項７】
前記制御基板に設置された前記非接触ＩＣタグは、当該制御基板を識別する制御基板識別情報に関する電波を発信し、前記基板ケースに設置された前記非接触ＩＣタグは、当該基板ケースを識別する基板ケース識別情報に関する電波を発信し、
前記不正検知手段は、前記制御基板識別情報と、前記基板ケース識別情報との組合せの状態が変更された場合、前記遊技機に対する不正行為の発生を検知することを特徴とする請求項１〜６のいずれか一つに記載の遊技機。
【請求項８】
前記不正検知手段は、前記制御基板識別情報と、前記基板ケース識別情報とが、あらかじめ定められた組合せでない場合、前記遊技機に対する不正行為の発生を検知することを特徴とする請求項７に記載の遊技機。
【請求項９】
前記不正検知手段は、あらかじめ前記遊技機に応じて設定された遊技機識別情報と、前記制御基板識別情報および前記基板ケース識別情報とを比較することで、当該遊技機に対する不正行為の発生を検知することを特徴とする請求項７に記載の遊技機。
【発明の詳細な説明】
【技術分野】
【０００１】
この発明は、遊技機を識別するための非接触ＩＣタグと、該非接触ＩＣタグからの電波を受信する受信アンテナとが取り付けられる遊技機に関する。
【背景技術】
【０００２】
従来より、パチンコ遊技機やスロット遊技機などの遊技機において、該遊技機を不正に改造して、遊技者が不当に遊技媒体を獲得する不正行為が後を絶たない。たとえば、遊技機の制御を司る主基板や該主基板に実装されているＲＯＭなどを不正なもの（いわゆる、裏ロムなど）に交換して、多くの遊技媒体を獲得する不正行為がおこなわれている。
【０００３】
これにより、パチンコホールなどの遊技場を営む店舗が被る被害が甚大なものとなっており、不正行為を防ぐために、各店舗において様々な不正対策がおこなわれている。たとえば、各店舗において、不正行為を監視するために、監視カメラを設置したり、従業員の数を増やしたりする対策が講じられている。
【０００４】
また、主基板や該主基板に実装されているＲＯＭに封印紙を貼付する技術が開示されている（たとえば、下記特許文献１参照。）。これによれば、主基板やＲＯＭを不正なものに交換する場合などに、正規の主基板やＲＯＭに貼付されていた封印紙を剥がして、不正なものに貼りかえると封印紙が破れてしまうので、不正行為を把握することができ、被害の拡大を抑えることができる。
【０００５】
【特許文献１】特開平１０−２１６３２４号公報
【発明の開示】
【発明が解決しようとする課題】
【０００６】
しかしながら、上述した特許文献１に記載の従来技術では、従業員が封印紙を目視チェックすることで不正行為を把握する構成であるため、裏ロムへの交換などの不正行為がなされてから従業員が封印紙を目視チェックするまでの間は、裏ロムによる不正な遊技がおこなわれてしまうこととなる。くわえて、裏ロムに精巧な偽造封印紙が貼付されてしまうと、不正行為がおこなわれたか否かを判断することは困難であるという問題があった。さらに、従業員が封印紙を目視チェックする場合、遊技機を開放して、該遊技機の内部に貼付されている封印紙を目視チェックする必要があるため、従業員の作業負担が増大してしまうという問題があった。
【０００７】
また、遊技機を開放せずに不正行為を把握するために、遊技機を識別するための非接触ＩＣタグを主基板やＲＯＭを覆う基板ケースの内側などに貼付して、従業員が、非接触ＩＣタグからの識別情報を受信する受信アンテナを有する読取装置によって、遊技機の表側から非接触ＩＣタグの識別情報を読み取る方法が考えられる。
【０００８】
しかしながら、非接触ＩＣタグを用いる場合であっても、裏ロムへの交換などの不正行為がなされてから非接触ＩＣタグの識別情報を読み取るまでの間は、裏ロムによる不正な遊技がおこなわれてしまうこととなる。くわえて、従業員が遊技機ごとに非接触ＩＣタグの通信可能範囲内まで読取装置を近づけて識別情報を読み取る構成であるため、多数の遊技機に対する読取作業には、多大な時間や手間がかかってしまうという問題がある。
【０００９】
また、非接触ＩＣタグからの識別情報の読取作業の時間や手間を省くため、非接触ＩＣタグの通信可能範囲内となるように、基板ケースの外側に受信アンテナを取り付けて、定期的に受信される識別情報を管理装置などで一括管理する方法も考えられる。
【００１０】
しかしながら、非接触ＩＣタグや受信アンテナが取り付けられた状態のまま基板ケースを切り取り、切り取った開口部から裏ロムへの交換などの不正行為がなされる場合、非接触ＩＣタグからの識別情報を正常に読み取ってしまうと、不正行為を検知できないという問題があった。すなわち、結局は不正行為がなされてから従業員が目視チェックするまで、裏ロムによる不正な遊技がおこなわれてしまうこととなる。
【００１１】
この発明は、上述した従来技術による問題点を解消するため、不正行為を容易かつ的確に把握するために非接触ＩＣタグと、受信アンテナとを取り付けることのできる遊技機を提供することを目的とする。
【課題を解決するための手段】
【００１２】
上述した課題を解決し、目的を達成するため、この発明にかかる遊技機は、遊技機を制御する制御基板に対して側面および上面を覆う基板ケースと、前記遊技機を識別するための非接触ＩＣタグと、前記非接触ＩＣタグからの電波を受信する受信アンテナと、を備え、前記非接触ＩＣタグは、当該制御基板と、当該基板ケースとにそれぞれ１つ以上設置され、前記受信アンテナによって受信された電波に基づいて、前記遊技機に対する不正行為を検知する不正検知手段を備えることを特徴とする。
【００１３】
この発明によれば、制御基板に設置された非接触ＩＣタグと、基板ケースに設置された非接触ＩＣタグとから発信される電波によって、遊技機への不正行為を検知することができる。
【００１４】
また、上記発明において、前記基板ケースに前記非接触ＩＣタグを収容する非接触ＩＣタグ収容部を備え、前記非接触ＩＣタグ収容部に前記非接触ＩＣタグを収容することとしてもよい。
【００１５】
この発明によれば、基板ケースに設けられた非接触ＩＣタグ収容部によって収容される非接触ＩＣタグから発信される電波によって、遊技機への不正行為を検知することができる。
【００１６】
また、上記発明において、前記基板ケースは、前記受信アンテナを収容する受信アンテナ収容部を備え、前記受信アンテナ収容部は、前記非接触ＩＣタグと、前記受信アンテナとが通信可能な所定範囲内に設けられたこととしてもよい。
【００１７】
この発明によれば、所定範囲内に設けられた非接触ＩＣタグと、受信アンテナとが通信して、遊技機を識別することで不正行為を検知することができる。
【００１８】
また、上記発明において、前記非接触ＩＣタグは、前記制御基板上に配設された監視対象となる監視対象電子部品に応じて、当該制御基板上に設置されることとしてもよい。
【００１９】
この発明によれば、制御基板に設置された非接触ＩＣタグによって、監視対象電子部品に対する不正行為を検知することができる。
【００２０】
また、上記発明において、前記非接触ＩＣタグ収容部は、前記基板ケースの側面に設けられることとしてもよい。
【００２１】
この発明によれば、非接触ＩＣタグ収容部が前記基板ケースの側面に設けられているため、非接触ＩＣタグによって基板ケースの内部の制御基板の目視確認を妨げることがない。
【００２２】
また、上記発明において、前記受信アンテナ収容部は、前記基板ケースの側面に設けられることとしてもよい。
【００２３】
この発明によれば、受信アンテナ収容部が前記基板ケースの側面に設けられているため、受信アンテナによって基板ケースの内部の制御基板の目視確認を妨げることがない。
【００２４】
また、上記発明において、前記制御基板に設置された前記非接触ＩＣタグは、当該制御基板を識別する制御基板識別情報に関する電波を発信し、前記基板ケースに設置された前記非接触ＩＣタグは、当該基板ケースを識別する基板ケース識別情報に関する電波を発信し、前記不正検知手段は、前記制御基板識別情報と、前記基板ケース識別情報との組合せの状態が変更された場合、前記遊技機に対する不正行為の発生を検知することとしてもよい。
【００２５】
この発明によれば、制御基板識別情報および基板ケース識別情報を用いて、該制御基板識別情報と、該基板ケース識別情報との組合せの変更によって、遊技機への不正行為の発生を検知することができる。
【００２６】
また、上記発明において、前記不正検知手段は、前記制御基板識別情報と、前記基板ケース識別情報とが、あらかじめ定められた組合せでない場合、前記遊技機に対する不正行為の発生を検知することとしてもよい。
【００２７】
この発明によれば、制御基板識別情報と、基板ケース識別情報との組合せを、あらかじめ定められた組合せと比較して、遊技機への不正行為の発生を検知することができる。
【００２８】
また、上記発明において、前記不正検知手段は、あらかじめ前記遊技機に応じて設定された遊技機識別情報と、前記制御基板識別情報および前記基板ケース識別情報とを比較することで、当該遊技機に対する不正行為の発生を検知することとしてもよい。
【００２９】
この発明によれば、遊技機に応じて設定された遊技機識別情報を用いて、該遊技機識別情報と、制御基板識別情報とが正当でない場合や、該遊技機識別情報と、基板ケース識別情報とが正当でない場合に、遊技機への不正行為の発生を検知することができる。
【発明の効果】
【００３０】
本発明にかかる遊技機によれば、遊技機への不正行為の発生を容易かつ的確に検知することで、遊技の提供者（たとえば、パチンコ事業者）に不正行為に対する対応を促すとともに適切な遊技の提供を図ることができるという効果を奏する。
【発明を実施するための最良の形態】
【００３１】
（実施の形態１）
以下に添付図面を参照して、本発明にかかる遊技機の好適な実施の形態１を詳細に説明する。
【００３２】
（遊技機の基本構成）
図１は、本発明の遊技機の遊技盤の一例を示す正面図である。遊技盤１０１の下部位置に配置された発射部（図２参照）の駆動によって発射された遊技球は、レール１０２ａ，１０２ｂ間を上昇して遊技盤１０１の上部位置に達した後、遊技領域１０３内を落下する。遊技領域１０３には、図示を省略する複数の釘が設けられ、遊技球を各種の方向に向けて落下させるとともに、落下途中の位置には、遊技球の落下方向を変化させる風車や、入賞口が配設されている。
【００３３】
遊技盤１０１の遊技領域１０３の中央部分には、表示部１０４が配置されている。表示部１０４としては、たとえば、液晶表示器（ＬＣＤ）が用いられる。表示部１０４の下方には、始動入賞させるための始動入賞口１０５が配設されている。表示部１０４の左右には、それぞれ入賞ゲート１０６が配設されている。入賞ゲート１０６は、遊技球の通過を検出し、始動入賞口１０５を一定時間だけ開放させる抽選をおこなうために設けられる。表示部１０４の側部や下方などには普通入賞口１０７が配設されている。普通入賞口１０７に遊技球が入賞すると、普通入賞時の賞球数（たとえば、１０個）の払い出しをおこなう。遊技領域１０３の最下部には、どの入賞口にも入賞しなかった遊技球を回収する回収口１０８が設けられている。
【００３４】
上述した表示部１０４は、特定の入賞口に遊技球が入賞したとき（始動入賞時）に、複数の図柄の表示の変動を開始させ、所定時間後に図柄が停止する。この停止時に特定図柄（たとえば、「７７７」）が揃ったとき、大当たり状態となる。大当たり状態のとき、下方に位置する大入賞口１０９が一定の期間開放を所定ラウンド（たとえば、１５ラウンド）繰り返し、入賞した遊技球に対応した賞球数を払い出す。
【００３５】
図２は、遊技機の制御部の内部構成を示すブロック図である。制御部２００は、複数の制御部により構成されている。図示の例では、主制御部２０１と、演出制御部２０２と、賞球制御部２０３とを有する。主制御部２０１は、遊技機の遊技にかかる基本動作を制御する。演出制御部２０２は、遊技中の演出動作を制御する。賞球制御部２０３は、払い出す賞球数を制御する。
【００３６】
主制御部２０１は、ＲＯＭ２１２に記憶されたプログラムに基づき、遊技内容の進行に伴う基本処理を実行するＣＰＵ２１１と、ＣＰＵ２１１の演算処理時におけるデータのワークエリアとして機能するＲＡＭ２１３などを備えて構成される。主制御部２０１は、たとえば、主基板によってその機能を実現する。
【００３７】
この主制御部２０１の入力側には、始動入賞口１０５に入賞した遊技球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した遊技球を検出する大入賞口検出部２２４とが接続されている。これらの検出部としては、近接スイッチなどを用いて構成できる。
【００３８】
この主制御部２０１の出力側には、大入賞口開閉部２３１が接続され、この大入賞口開閉部２３１の開閉を制御する。大入賞口開閉部２３１は、大当たり時に大入賞口１０９を一定期間開放する機能であり、ソレノイドなどを用いて構成される。この大当たりは、生成した乱数に基づき所定の確率で発生するようあらかじめプログラムされている。
【００３９】
演出制御部２０２は、遊技中における演出制御をおこなう。この演出制御部２０２は、演出処理を実行するＣＰＵ２４１と、プログラムや背景画像、図柄画像、キャラクタ画像など各種画像データを記憶するＲＯＭ２４２と、ＣＰＵ２４１の演算処理時におけるデータのワークエリアとして機能するＲＡＭ２４３と、表示部１０４に表示させる画像データを書き込むＶＲＡＭ２４４などを備えて構成される。
【００４０】
演出制御部２０２では、ＣＰＵ２４１がＲＯＭ２４２に記憶されたプログラムを読み込んで、背景画像表示処理、図柄画像表示／変動処理、キャラクタ画像表示処理など各種画像処理を実行し、必要な画像データをＲＯＭ２４２から読み出してＶＲＡＭ２４４に書き込む。背景画像、図柄画像、キャラクタ画像は、表示画面上において表示部１０４に重畳表示される。すなわち、図柄画像やキャラクタ画像は背景画像よりも手前に見えるように表示される。
【００４１】
この場合、同一位置に背景画像と図柄画像が重なる場合、Ｚバッファ法など周知の陰面消去法により各画像データのＺバッファのＺ値を参照することで、図柄画像を優先してＶＲＡＭ２４４に記憶させる。演出制御部２０２は、たとえば、演出基板によってその機能を実現する。
【００４２】
この演出制御部２０２は、主制御部２０１から遊技中である各種データを受け取り、この遊技中における演出制御をおこなう。演出制御部２０２の出力側には、上述した表示部（ＬＣＤ）１０４と、ランプ制御部２５１が接続されている。演出制御部２０２は、表示部（ＬＣＤ）１０４に対しては、遊技中における演出内容、たとえば、図柄の移動表示や、リーチ（３つの図柄のうち２つが揃った状態）、および大当たり時の各種表示情報を生成して出力する。演出制御部２０２は、ランプ制御部２５１に対しては、遊技盤１０１や台枠などに設けられている各種ランプ２６２に対する点灯制御などをおこなうデータを出力する。
【００４３】
賞球制御部２０３は、ＲＯＭ２８２に記憶されたプログラムに基づき、賞球制御をおこなう。この賞球制御部２０３は、賞球制御の処理を実行するＣＰＵ２８１と、ＣＰＵ２８１の演算処理時におけるデータのワークエリアとして機能するＲＡＭ２８３などを備えて構成される。賞球制御部２０３は、たとえば、賞球基板によってその機能を実現する。
【００４４】
賞球制御部２０３は、接続される払出部２９１に対して入賞時の賞球数を払い出す制御をおこなう。また、発射部２９２に対する遊技球の発射の操作を検出し、遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御をおこなう。発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００４５】
上記構成の主制御部２０１と、演出制御部２０２と、賞球制御部２０３は、それぞれ異なるプリント基板（主基板、演出基板、賞球基板）に設けられる。これに限らず、たとえば、賞球制御部２０３は、主制御部２０１と同一のプリント基板上に設けることもできる。
【００４６】
（遊技機の基本動作）
上記構成による遊技機の基本動作の一例を説明する。主制御部２０１のＣＰＵ２１１により遊技中の制御がおこなわれ、各入賞口に対する遊技球の入賞状況を賞球制御部２０３に出力し、賞球制御部２０３は、入賞状況に対応した賞球数の払い出しをおこなう。
【００４７】
また、始動入賞口１０５に遊技球が入賞するごとに、対応する制御信号を演出制御部２０２に出力し、演出制御部２０２は、表示部１０４の図柄を変動表示させ、停止させることを繰り返す。大当たりの発生が決定しているときには、対応する制御信号を演出制御部２０２に出力し、演出制御部２０２は、所定の図柄で揃えて停止させる。このとき同時に、大入賞口１０９を開放する制御をおこなう。演出制御部２０２は、大当たり発生期間中、および大当たり発生までの間のリーチ時や、リーチ予告時などには、表示部１０４に対して、図柄の変動表示にくわえて各種の演出表示をおこなう。このほか、演出制御部２０２は、遊技中における演出内容や遊技状態に応じて、各種役物に対して特定の駆動をおこなったり、ランプ２６２の表示状態を変更するなどの演出をおこなう。
【００４８】
そして、大当たり発生時には、大入賞口１０９が複数回開放される。１回の開放が１ラウンドとして、たとえば、１５回のラウンドが繰り返し実行される。１ラウンドの期間は、たとえば、遊技球が１０個入賞したとき、あるいは所定期間（たとえば、３０秒）とされている。この際、賞球制御部２０３は、大入賞口１０９に対する遊技球１個の入賞あたり１５個の賞球数で払い出しをおこなう。大当たり終了後は、この大当たり状態が解除され、通常の遊技状態に復帰する。
【００４９】
（遊技機の背面構成）
ここで、図３を用いて、本発明の遊技機の背面について説明する。図３は、本発明の遊技機の背面図である。図３は、図１に示した遊技盤１０１を裏面から見た状態であり、図示の例では、遊技機３００は、機枠３０１に嵌め込まれており、サンド装置３０２と接続されている。
【００５０】
サンド装置３０２は、遊技機３００での遊技に使用する遊技球や遊技メダルなどの遊技媒体を貸し出すコンピュータ装置である。すなわち、サンド装置３０２は、たとえば、遊技者から投入されたカードなどに記憶されている入金情報に応じて、遊技媒体の貸し出しに関する信号を遊技機３００に送信する機能を有する。
【００５１】
また、サンド装置３０２は、検知部３３４を備え、後述する受信アンテナ３３１によって受信される電波の状態に応じて、基板ケース３１０や各種制御基板への不正行為を検知する。なお、本発明の遊技機３００の説明では、検知部３３４をサンド装置３０２に備える構成としたが、遊技機３００本体に設けたり、その他外部機器に設ける構成としてもよい。
【００５２】
遊技機３００は、図２に示した主制御部２０１、演出制御部２０２、賞球制御部２０３などを実現する各種制御基板を覆う基板ケース３１０（３１０ａ，３１０ｂ，３１０ｃ）と、該基板ケース３１０ｃを覆う裏カバー３２０と、を有している。
【００５３】
基板ケース３１０は、外部から主基板、演出基板、賞球基板などの各種制御基板の不正改造や、不正基板への交換などの不正行為ができないように該各種制御基板の上面および側面を覆う構成である。さらに、基板ケース３１０は、透明ケースによって形成されており、各種制御基板の不正改造や、不正基板への交換などの不正行為に対して目視確認ができる。より具体的には、たとえば、主基板は基板ケース３１０ａ、賞球基板は基板ケース３１０ｂ、演出基板は基板ケース３１０ｃにそれぞれ覆われている。
【００５４】
また、裏カバー３２０は、透明ケースによって構成されており、基板ケース３１０ｃの外側に配設されている接続ケーブルを保護する。具体的には、裏カバー３２０によって、各種制御基板やその他遊技機の部品に接続される接続ケーブルが保護されている。
【００５５】
また、詳細は図４〜図８を用いて説明するが、本発明の遊技機３００は、基板ケース３１０や各種制御基板に、非接触ＩＣ（Ｉｎｔｅｇｒａｔｅｄ  Ｃｉｒｃｕｉｔ）タグ３３２と、該非接触ＩＣタグ３３２からの電波を受信する受信アンテナ３３１が設置されている。具体的には、非接触ＩＣタグ３３２は、たとえば、遊技機を識別するための識別情報を含む電波を発信する。
【００５６】
識別情報は、たとえば、基板ケース３１０に設置された非接触ＩＣタグ３３２であれば基板ケース３１０を識別する基板ケース識別情報、各種制御基板に設置された非接触ＩＣタグ３３２であれば制御基板識別情報であってもよい。より具体的には、たとえば、基板ケース識別情報および制御基板識別情報は、所定の管理番号などでもよい。
【００５７】
受信アンテナ３３１は、ケーブル３３３によって検知部３３４と接続され、非接触ＩＣタグ３３２から送信される遊技機３００を識別する識別情報を含む電波を受信する。そして、受信アンテナ３３１は、受信された識別情報をケーブル３３３を介して検知部３３４へ出力する。具体的には、受信アンテナ３３１は、基板ケース３１０に設置された非接触ＩＣタグ３３２からは基板ケース識別情報、各種制御基板に設置された非接触ＩＣタグ３３２からは制御基板識別情報を受信することとしてもよい。
【００５８】
検知部３３４は、受信アンテナ３３１から出力される識別情報に基づいて、遊技機に対する不正行為を検知する。具体的には、たとえば、検知部３３４は、識別情報が入力されない場合、基板ケース３１０や各種制御基板への不正行為があったことを検知する構成でもよい。
【００５９】
また、検知部３３４は、たとえば、受信アンテナ３３１から出力される基板ケース識別情報と、制御基板識別情報との組合せの状態が変更された場合に不正行為の発生を検知する構成でもよい。具体的には、基板ケース識別情報と、制御基板識別情報とに異なる管理番号が設定されている場合、それまでに入力されていた管理番号の組合せに変更があった場合、いずれか一方の管理番号が入力されない場合に不正行為の発生を検知する。すなわち、不正行為によって基板ケース３１０あるいは制御基板が取り替えられたことを検知することができる。
【００６０】
また、検知部３３４は、図示しない記録部によって、あらかじめ定められた管理番号の組合せを記録して、記録された管理番号の組合せと、入力される管理番号の組合せが異なる場合に不正行為の発生を検知することとしてもよい。記録部は、たとえば、管理番号の組合せを記録する代わりに、遊技機３００に対応する基板ケース識別情報および制御基板識別情報の管理番号を記録する構成としてもよい。この場合、検知部３３４は、入力される基板ケース識別情報と、記録された基板ケース識別情報とが異なるか否かによって、基板ケース３１０が不正に取り替えられたことを検知し、入力される制御基板識別情報と、記録された制御基板識別情報とが異なるか否かによって、制御基板が不正に取り替えられたことを検知することができる。
【００６１】
（受信アンテナおよび非接触ＩＣタグの概要）
つぎに、図４を用いて、本発明の受信アンテナ３３１および非接触ＩＣタグ３３２の概要について説明する。図４は、本発明の受信アンテナおよび非接触ＩＣタグの概要を示す説明図である。
【００６２】
図４において、図３に示した受信アンテナ３３１は、アンテナ基板４０１と、アンテナコイル４０２と、ケーブル３３３と、から構成されている。また、非接触ＩＣタグ３３２は、タグ基板４１１と、コイル４１２と、ＩＣチップ４１３と、から構成されている。
【００６３】
受信アンテナ３３１は、アンテナ基板４０１上に形成されたアンテナコイル４０２によって、所定範囲内に設置される非接触ＩＣタグ３３２と通信をおこなう。具体的には、受信アンテナ３３１は、図３に示した基板ケース３１０の表面に設置され、該基板ケース３１０内部に設置された非接触ＩＣタグ３３２と通信をおこなう。ここで、所定範囲は、受信アンテナ３３１と非接触ＩＣタグ３３２との通信特性によって決められ、たとえば、２．０ｃｍ以内の範囲に設定される。
【００６４】
アンテナコイル４０２は、アンテナ基板４０１の外縁に沿って、所定径を有する略四角状の環状に形成されており、ケーブル３３３と接続されている。また、アンテナコイル４０２は、アンテナ基板４０１の形状にもよるが、これ以外、楕円状や円状としてもよい。ケーブル３３３は、図３に示した検知部３３４に接続されている。具体的には、検知部３３４は、図示しないリードライト基板を備えており、ケーブル３３３によって該リードライト基板と、受信アンテナ３３１とが接続される構成としてもよい。
【００６５】
なお、図４では図示しないが、アンテナ基板４０１は、透明部材によって形成されたり、アンテナコイル４０２の内側における所定径の領域が開口された構成でもよい。このようにすることで、たとえば、図３に示した基板ケース３１０に受信アンテナ３３１を設置した場合でも、基板ケース３１０内部に設置された各種制御基板を、該基板ケース３１０の外側から目視することができる。
【００６６】
非接触ＩＣタグ３３２は、タグ基板４１１上に設置されたＩＣチップ４１３の制御にしたがって、コイル４１２を介して、所定範囲内に設置される受信アンテナ３３１と通信をおこなう。具体的には、非接触ＩＣタグ３３２は、図３に示した基板ケース３１０や制御基板に設置され、該基板ケース３１０表面に設置された受信アンテナ３３１と通信をおこなう。
【００６７】
具体的には、非接触ＩＣタグ３３２は、ＩＣチップ４１３の制御にしたがって、遊技機３００の識別情報を受信アンテナ３３１に送信する。すなわち、所定範囲内に受信アンテナ３３１がある場合、該受信アンテナ３３１によって非接触ＩＣタグ３３２からの識別情報が受信されることとなり、所定範囲内に受信アンテナ３３１がない場合、識別情報が受信されない構成である。したがって、各種制御基板の不正改造や不正基板への交換などの不正行為の際、受信アンテナ３３１と、非接触ＩＣタグ３３２との間の距離が所定範囲外となると、識別情報が受信できなくなり、図３に示した検知部３３４によって不正行為の発生を検知することができる。換言すれば、非接触ＩＣタグ３３２からの電波が受信できずに遊技機３００が識別できなくなることで、不正行為の発生を検知することができる。
【００６８】
また、非接触ＩＣタグ３３２は、基板ケース３１０や各種制御基板に設置され、それぞれ識別情報として、基板ケース識別情報や制御基板識別情報を受信アンテナに送信する構成でもよい。このようにすれば、検知部３３４は、基板ケース識別情報や制御基板識別情報が受信できなかった場合に加え、受信された基板ケース識別情報や制御基板識別情報の組合せに応じても不正行為を検知することができ、不正行為の検知の精度を向上させることができる。
【００６９】
なお、図４では説明を省略したが、タグ基板４１１は透明部材（たとえば、シール）であってもよく、図３に示した基板ケース３１０（３１０ａ，３１０ｂ，３１０ｃ）にタグ基板４１１を貼付した場合であっても、基板ケース３１０内部に設置された各種制御基板を、該基板ケース３１０の外側から目視することができる。
【００７０】
（受信アンテナおよび非接触ＩＣタグの設置の概要）
つぎに、図５および図６を用いて、本発明の実施の形態１にかかる受信アンテナ３３１および非接触ＩＣタグ３３２の設置の概要について説明する。図５は、本発明の実施の形態１にかかる制御基板および制御基板を覆う基板ケースの一例を示す斜視図である。
【００７１】
図５において、制御基板５５０は、基板ケース３１０に覆われており、具体的には、遊技機３００を制御する電子部品５５１を搭載した制御基板５５０の上面５１０および側面５１１を覆う構成である。
【００７２】
基板ケース３１０の上面５１０は、基板ケース３１０の内部に設置された制御基板５５０に対して略平行な面によって構成され、側面５１１は、制御基板５５０に対して略垂直な面によって構成されており、基板ケース３１０および制御基板５５０によって、いわゆる直方体を形成する。
【００７３】
ここで、基板ケース３１０において、制御基板５５０に向いている側の面を裏面５３０、制御基板５５０に向いていない側の面を表面５２０として説明する。すなわち、基板ケース３１０において、上面５１０および側面５１１の外側が表面５２０、該上面５１０および側面５１１の内側が裏面５３０である。
【００７４】
さらに、基板ケース３１０は、該基板ケース３１０の内部を外部から目視可能な透明部材によって形成されている。具体的には、基板ケース３１０は、基板ケース３１０の内部に設置された制御基板５５０に搭載された電子部品５５１や、該制御基板５５０そのものに不正行為がないか目視するため、透明部材によって形成される。
【００７５】
また、詳細は図６を用いて説明するが、基板ケース３１０は、図４に示した受信アンテナ３３１や非接触ＩＣタグ３３２を収容する収容部を備えている。具体的には、収容部は、基板ケース３１０の側面５１１に設けられる構成でもよく、遊技機３００を識別するため、図示しない受信アンテナ３３１や非接触ＩＣタグ３３２を収容する。このように、収容部を側面５１１に設けることで、基板ケース３１０の内部を外部から適切に目視することができる。換言すれば、基板ケース３１０内部の目視を妨げることなく設けられた収容部によって、受信アンテナ３３１や非接触ＩＣタグ３３２を収容することができる。
【００７６】
図６は、本発明の実施の形態１にかかる受信アンテナおよび非接触ＩＣタグの収容の一例を示す説明図である。図６において、受信アンテナ収容部６０１、非接触ＩＣタグ収容部６０２は、基板ケース３１０における側面５１１に形成されている。受信アンテナ収容部６０１は、所定深さの凹部であり、縦横の長さ（開口径）は受信アンテナ３３１の外径形状とほぼ同じである。また、非接触ＩＣタグ収容部６０２は、基板ケース３１０の側面５１１に設けられた所定深さおよび縦横長さを有する空洞部である。
【００７７】
受信アンテナ収容部６０１は、受信アンテナ３３１を収容し、具体的には、図示しない爪部やネジ部や溝部や粘着テープなどを用いて受信アンテナ３３１を係止する。このように係止された受信アンテナ３３１は、非接触ＩＣタグ３３２（３３２ａ，３３２ｂ）の所定範囲内に保たれ、それぞれ識別情報を受信する構成である。ここで、所定範囲は、受信アンテナ３３１と非接触ＩＣタグ３３２との通信特性によって設定することができる。
【００７８】
非接触ＩＣタグ収容部６０２は、非接触ＩＣタグ３３２ａを収容し、図示しない爪部やネジ部や溝部や粘着テープなどを用いて非接触ＩＣタグ３３２ａを係止する。このように非接触ＩＣタグ収容部６０２は、空洞部によって非接触ＩＣタグ３３２ａを収容するため、非接触ＩＣタグ３３２ａへの直接的な改造を防ぐことができる。そして、非接触ＩＣタグ３３２ａは、受信アンテナ３３１から所定範囲内に設置され、基板ケース３１０を識別する基板ケース識別情報を受信アンテナ３３１に対して発信する。
【００７９】
また、制御基板５５０には、非接触ＩＣタグ３３２ｂが設置されている。具体的には、非接触ＩＣタグ３３２ｂは、受信アンテナ３３１から所定範囲内に設置され、制御基板５５０を識別する制御基板識別情報を受信アンテナ３３１に対して発信する。
【００８０】
より具体的には、たとえば、非接触ＩＣタグ３３２（３３２ａ，３３２ｂ）は、ＡＦＩ（Ａｕｔｈｏｒｉｔｙ  ａｎｄ  Ｆｏｒｍａｔ  Ｉｎｄｅｎｔｉｆｉｅｒ）を用いて、それぞれ識別情報を受信アンテナ３３１に対して発信し、受信アンテナ３３１は、受信した各識別情報を図３に示した検知部３３４へ出力する。このように、非接触ＩＣタグ３３２に個別に対応した受信アンテナ３３１を用いずに、単数の受信アンテナ３３１によって複数の非接触ＩＣタグ３３２から識別情報を受信する構成とすることで、部品点数の低減を図ることができる。
【００８１】
なお、図６の説明では、受信アンテナ３３１と、非接触ＩＣタグ３３２とが平行となるようにしたが、受信アンテナ３３１が非接触ＩＣタグ３３２からの電波を受信できる配置であればよく、非接触ＩＣタグ３３２と、受信アンテナ３３１とが所定範囲内に設置される構成であればよい。また、図６の説明では、非接触ＩＣタグ収容部６０２における空洞部によって非接触ＩＣタグ３３２ａを収容する構成としたが、空洞部を設けずに、受信アンテナ収容部６０１の裏面に非接触ＩＣタグ３３２ａを貼付する構成としてもよい。このようにすれば、側面５１１に空洞部を形成することなく、簡易に基板ケース３１０を識別する非接触ＩＣタグ３３２ａを係止することができる。
【００８２】
また、図６では説明を省略したが、受信アンテナ収容部６０１に係止された受信アンテナ３３１への直接的な改造を防ぐため、受信アンテナ３３１を収容した状態で受信アンテナ収容部６０１を覆う蓋（不図示）を設けることとしてもよい。このように、蓋を設けることで、受信アンテナ３３１に対する不正を防止することができる。
【００８３】
（受信アンテナおよび非接触ＩＣタグの収容の別の例）
図７は、本発明の実施の形態１にかかる受信アンテナおよび非接触ＩＣタグの収容の別の一例を示す説明図である。図６の説明では、受信アンテナ収容部６０１によって受信アンテナ３３１を収容する構成として説明したが、図７では、受信アンテナ３３１をアンテナケースに挿入する場合について説明する。
【００８４】
具体的には、図７において、受信アンテナ３３１および非接触ＩＣタグ３３２の収容部７０１は、基板ケース３１０における側面５１１に形成された所定深さの凹部であり、縦横の長さ（開口径）は受信アンテナ３３１が挿入されるアンテナケース７１０の外径形状とほぼ同じである。アンテナケース７１０は、所定の深さを有し、外径形状（縦横の長さ）は、収容部７０１の縦横の長さ（開口径）とほぼ同じである。このアンテナケース７１０は、電気的に絶縁性を有するプラスチックなどの透明部材によって形成され、図示しない爪部やネジ部や溝部や粘着テープなどを用いて内部に受信アンテナ３３１を係止する。このように、内部に受信アンテナ３３１を係止することで、受信アンテナ３３１に対する直接的な改造を防ぐことができる。
【００８５】
収容部７０１は、アンテナケース７１０および非接触ＩＣタグ３３２ａを収容する。具体的には、図示しない爪部やネジ部や溝部や粘着テープなどを用いてアンテナケース７１０および非接触ＩＣタグ３３２ａを係止する。このように係止されたアンテナケース７１０および非接触ＩＣタグ３３２ａによって、受信アンテナ３３１は、非接触ＩＣタグ３３２（３３２ａ，３３２ｂ）の所定範囲内に保たれ、それぞれ識別情報を受信する構成である。
【００８６】
なお、図７では、非接触ＩＣタグ３３２ａを、収容部７０１における基板ケース３１０の表面５２０に設置させているが、基板ケース３１０の裏面５３０に設置する構成としてもよい。このようにすれば、非接触ＩＣタグ３３２ａに対して、基板ケース３１０の表面５２０側からの直接的な改造を防ぐことができる。
【００８７】
また、図７の説明では説明を省略したが、非接触ＩＣタグ３３２をアンテナケース７１０の内部に設ける構成としてもよい。換言すれば、受信アンテナ３３１が挿入されるアンテナケース７１０を識別する非接触ＩＣタグ３３２を設置して、受信アンテナ３３１によって、基板ケース３１０、制御基板５５０、アンテナケース７１０それぞれの識別情報を受信する構成でもよい。このようにすれば、検知部３３４は、基板ケース識別情報や制御基板識別情報にくわえ、アンテナケース識別情報を用いて不正行為を検知することができる。
【００８８】
以上説明したように、実施の形態１によれば、基板ケースおよび制御基板に設置された非接触ＩＣタグからの識別情報を用いて、遊技機への不正行為を的確に検知することができる。さらに、基板ケースに設置された非接触ＩＣタグおよび制御基板に設置された非接触ＩＣタグからの識別情報を用いる構成であるため、基板ケースあるいは制御基板のいずれかに不正があった段階で不正行為を検知することができる。
【００８９】
換言すれば、基板ケースあるいは制御基板に対して不正があった段階で不正行為の発生を検知することができるため、不正行為が発生した順序や不正行為のなされた箇所などを特定することができる。特に、制御基板の各電子部品に対応して非接触ＩＣタグを設置する場合、不正行為のなされた箇所を特定することで、適切な対応をとることができる。
【００９０】
くわえて、基板ケースや制御基板に対する不正行為を検知するため、受信アンテナおよび非接触ＩＣタグを、基板ケースの側面を利用して容易に収容することができる。このように収容部を基板ケースの側面に設ける構成としたことで、基板ケースの内側を目視する場合であっても受信アンテナや非接触ＩＣタグが妨げとなることがないため、使用者（たとえば、パチンコホールの従業員）は、適切な目視確認をおこなうことができる。
【００９１】
また、基板ケースに設置された非接触ＩＣタグおよび制御基板に設置された非接触ＩＣタグからの識別情報を用いる構成であるため、非接触ＩＣタグや受信アンテナが取り付けられた状態のまま基板ケースを切り取り、切り取った開口部から裏ロムへの交換がされる場合であっても、制御基板に設置されているはずの正規の非接触ＩＣタグからの電波が受信できなくなるため、不正行為を確実に検知して、使用者（たとえば、パチンコホールの従業員）に、適切な目視確認を促すことができる。
【００９２】
また、あらかじめ受信アンテナを基板ケース内部に組み込まなくてもよいため、サンド装置など外部機器から導出されている受信アンテナを利用することができる。すなわち、遊技機の機種の入れ替えがあっても同じ受信アンテナを使用できるため、入れ替えごとに受信アンテナを用意しなくてもよく、設備コストの低減を図ることができる。
【００９３】
また、図６および図７の説明では、非接触ＩＣタグからの電波を受信する受信アンテナや非接触ＩＣタグを収容する１つの収容部について説明したが、遊技機に複数の収容部を備える構成としてもよい。具体的には、図３に示した基板ケース３１０ａ，３１０ｂ，３１０ｃのそれぞれに収容部を設ける構成とすれば、いずれかの制御基板（たとえば、主基板、演出基板、賞球基板など）に対する不正を的確に検知することができる。
【００９４】
また、アンテナケースに受信アンテナを挿入する構成とすれば、受信アンテナへの直接的な改造を防ぐことができる。くわえて、サンド装置など外部機器から導出されている受信アンテナをアンテナケースに挿入して基板ケースに取り付ける構成であるため、遊技機側の基板ケースと、サンド装置など外部機器との間の電気的な絶縁を実現することができる。
【００９５】
さらに、受信アンテナを挿入可能なアンテナケースであれば、形状を限定しなくてもよく、基板ケースの収容部におけるアンテナケースの収容の構成をフレキシブルに形成し、汎用性の向上を図ることができる。
【００９６】
（実施の形態２）
つぎに、本発明の実施の形態２について説明する。前述の実施の形態１では、基板ケース３１０の側面５１１に設けられた受信アンテナ収容部６０１、非接触ＩＣタグ収容部６０２や収容部７０１によって受信アンテナ３３１および非接触ＩＣタグ３３２を収容する場合について説明したが、本発明の実施の形態２では、基板ケース３１０の上面５１０に受信アンテナ３３１および非接触ＩＣタグ３３２を収容する場合について説明する。
【００９７】
なお、本発明の実施の形態２にかかる遊技機の基本構成については図１、遊技機の制御部の内部構成については図２、遊技機の背面については図３、受信アンテナおよび非接触ＩＣタグの概要については図４とそれぞれほぼ同様であるため説明を省略する。
【００９８】
（受信アンテナおよび非接触ＩＣタグの設置の概要）
図８を用いて、本発明の実施の形態２にかかる受信アンテナ３３１および非接触ＩＣタグ３３２の設置の概要について説明する。図８は、本発明の実施の形態２にかかる受信アンテナおよび非接触ＩＣタグの収容の一例を示す説明図である。
【００９９】
図８において、受信アンテナ収容部８０１、非接触ＩＣタグ収容部８０２は、基板ケース３１０における上面５１０に形成されている。受信アンテナ収容部８０１は、所定深さの凹部であり、縦横の長さ（開口径）は受信アンテナ３３１の外径形状とほぼ同じである。また、非接触ＩＣタグ収容部８０２は、基板ケース３１０の上面５１０に設けられた所定深さおよび縦横長さを有する空洞部である。
【０１００】
受信アンテナ収容部８０１は、受信アンテナ３３１を収容し、具体的には、図示しない爪部やネジ部や溝部や粘着テープなどを用いて受信アンテナ３３１を係止する。このように係止された受信アンテナ３３１は、非接触ＩＣタグ３３２（３３２ａ，３３２ｂ）の所定範囲内に保たれ、それぞれ識別情報を受信する構成である。ここで、所定範囲は、受信アンテナ３３１と非接触ＩＣタグ３３２との通信特性によって設定することができる。
【０１０１】
非接触ＩＣタグ収容部８０２は、非接触ＩＣタグ３３２ａを収容し、図示しない爪部やネジ部や溝部や粘着テープなどを用いて非接触ＩＣタグ３３２ａを係止する。このように非接触ＩＣタグ収容部８０２は、空洞部によって非接触ＩＣタグ３３２ａを収容するため、非接触ＩＣタグ３３２ａへの直接的な改造を防ぐことができる。そして、非接触ＩＣタグ３３２ａは、受信アンテナ３３１から所定範囲内に設置され、基板ケース３１０を識別する基板ケース識別情報を受信アンテナ３３１に対して発信する。
【０１０２】
また、制御基板５５０上には、非接触ＩＣタグ３３２ｂが設置されている。具体的には、非接触ＩＣタグ３３２ｂは、受信アンテナ３３１から所定範囲内に設置され、制御基板５５０を識別する制御基板識別情報を受信アンテナ３３１に対して発信する。より具体的には、非接触ＩＣタグ３３２ｂは、制御基板５５０上における目視による監視対象となる電子部品５５１が配設されていない領域に設置される。すなわち、基板ケース３１０の上面５１０側から電子部品５５１を監視する場合であっても、受信アンテナ３３１および非接触ＩＣタグ３３２が邪魔にならないように、受信アンテナ収容部８０１、非接触ＩＣタグ収容部８０２を設け、受信アンテナ３３１および非接触ＩＣタグ３３２が設置されることとなる。
【０１０３】
また、図８では、非接触ＩＣタグ３３２ｂを制御基板５５０上に設置することとしたが、ＣＰＵやその他電子部品５５１などに直接設置することとしてもよい。このようにすれば、ＣＰＵや電子部品５５１に対する不正行為を迅速かつ的確に検知することができる。
なお、図８では説明を省略したが、受信アンテナ３３１を収容する場合、図７に示したアンテナケース７１０を利用する構成でもよい。
【０１０４】
以上説明したように、実施の形態２によれば、基板ケースの上面を有効利用して、基板ケース内部の目視を妨げることなく、受信アンテナおよび非接触ＩＣタグを収容することができる。
【０１０５】
以上説明したように、本発明によれば、基板ケースや制御基板に設置された受信アンテナおよび非接触ＩＣタグによって、迅速に遊技機の不正を検知して、適切な目視を促すことができる。したがって、遊技の提供者（たとえば、パチンコ事業者）は、不正に迅速に対応して、遊技者に適切な遊技を提供することができる。
【産業上の利用可能性】
【０１０６】
以上のように、本発明にかかる遊技機は、パチンコ遊技機、スロット遊技機、その他各種遊技機に有用であり、特に、パチンコホールやゲームセンター（プレイランド）、家庭用ゲーム機での設置、使用に適している。
【図面の簡単な説明】
【０１０７】
【図１】本発明の遊技機の遊技盤の一例を示す正面図である。
【図２】遊技機の制御部の内部構成を示すブロック図である。
【図３】本発明の遊技機の背面図である。
【図４】本発明の受信アンテナおよび非接触ＩＣタグの概要を示す説明図である。
【図５】本発明の実施の形態１にかかる制御基板および制御基板を覆う基板ケースの一例を示す斜視図である。
【図６】本発明の実施の形態１にかかる受信アンテナおよび非接触ＩＣタグの収容の一例を示す説明図である。
【図７】本発明の実施の形態１にかかる受信アンテナおよび非接触ＩＣタグの収容の別の一例を示す説明図である。
【図８】本発明の実施の形態２にかかる受信アンテナおよび非接触ＩＣタグの収容の一例を示す説明図である。
【符号の説明】
【０１０８】
３００  遊技機
３０２  サンド装置
３１０（３１０ａ，３１０ｂ，３１０ｃ）  基板ケース
３２０  裏カバー
３３１  受信アンテナ
３３２（３３２ａ，３３２ｂ）  非接触ＩＣタグ
３３３  ケーブル
３３４  検知部
６０１，８０１  受信アンテナ収容部
６０２，８０２  非接触ＩＣタグ収容部
７０１  収容部
７１０  アンテナケース
【図１】
2008289779.tif 000003
【図２】
2008289779.tif 000004
【図３】
2008289779.tif 000005
【図４】
2008289779.tif 000006
【図５】
2008289779.tif 000007
【図６】
2008289779.tif 000008
【図７】
2008289779.tif 000009
【図８】
2008289779.tif 000010